(57)【特許請求の範囲】
【請求項１】
矩形状の底板の四周に一対の側面板と一対の端面板を配置すると共に一対の側面板と一対の端面板の下端を底板に回転自在に連結して一対の側面板と一対の端面板とを起倒自在にし、一対の端面板を底板に重ねると共に一対の側面板を上記端面板を介して底板上に重ねた状態に折り畳むようにし、一対の側面板を垂直に立ててから端面板を垂直に立てることにより組み立て状態となると共に組み立て状態で一対の側面板の長手方向の端部の間に端面板が位置するようにした折り畳みコンテナにおいて、側面板の長手方向の端部に側面板と直交するように設けた端壁部から内方に向けて側面板と平行になるように係合片を突設すると共に端面板の側端部の外面から係合片と平行になるように係合凹所を設け、側面板と端面板を垂直に立てた状態で係合片と係合凹所を係脱自在に係合するようにし、側面板と端面板を垂直に立てた状態で側面板の端部の係止突起と端面板の被係止突起を被係止突起が係止突起の外側に位置するように係止させるようにし、端面板を垂直に立てた状態で端面板が底板に重なる方向に回動しないように係止するため下部係止手段を端面板の下端と底板との間に設けて成ることを特徴とする折り畳みコンテナ。
【発明の詳細な説明】
【０００１】
【産業上の利用分野】
本発明は、底板の四周に一対の側面板と一対の端面板とを起倒自在に設けた折り畳みコンテナの構造に関するものである。
【０００２】
【従来の技術】
従来、この種の折り畳みコンテナとしては例えば実公昭４９−４７３２０号公報に開示されるものがある。これは矩形状の底板の四周に一対の側面板と一対の端面板を配置すると共に一対の側面板と一対の端面板の下端を底板に回転自在に連結して一対の側面板と一対の端面板とを起倒自在にして形成され、一対の端面板を底板に重ねると共に一対の側面板を上記端面板を介して底板上に重ねた状態に折り畳むようにしてあり、一対の側面板を垂直に立ててから端面板を垂直に立てることにより組み立て状態となると共に組み立て状態で一対の側面板の長手方向の端部の間に端面板が位置するようにしてある。そして側面板と端面板を垂直に立てた状態で側面板の長手方向の端部の係合片と端面板の端部の係合孔とを係合して、側面板や端面板が外方に開かないように側面板と端面板を連結している。
【０００３】
【発明が解決しようとする課題】
かかる従来例にあっては、側面板や端面板を垂直に立てた組み立て状態で係合片と係合孔とを係合することで側面板や端面板が外に開かないように側面板と端面とを連結することができるが、端面板に内方に向けて力がかかったとき端面板が内方に倒れるのを阻止するものがなく、端面板が内方に倒れて組み立て状態を維持できないという問題がある。
【０００４】
本発明は上記問題点に鑑みてなされたものであって、本発明の目的とするところは組み立て状態で端面板が内方に倒れないように係止して組み立て状態を確実に維持できる折り畳みコンテナを提供するにある。
【０００５】
【課題を解決するための手段】
上記目的を達成するため本発明折り畳みコンテナＡは、矩形状の底板１の四周に一対の側面板２と一対の端面板３を配置すると共に一対の側面板２と一対の端面板３の下端を底板１に回転自在に連結して一対の側面板２と一対の端面板３とを起倒自在にし、一対の端面板３を底板１に重ねると共に一対の側面板２を上記端面板３を介して底板１上に重ねた状態に折り畳むようにし、一対の側面板２を垂直に立ててから端面板３を垂直に立てることにより組み立て状態となると共に組み立て状態で一対の側面板２の長手方向の端部の間に端面板３が位置するようにしたものにおいて、側面板２の長手方向の端部に側面板２と直交するように設けた端壁部４から内方に向けて側面板２と平行になるように係合片５を突設すると共に端面板３の側端部の外面から係合片５と平行になるように係合凹所６を設け、側面板２と端面板３を垂直に立てた状態で係合片５と係合凹所６を係脱自在に係合するようにし、側面板２と端面板３を垂直に立てた状態で側面板２の端部の係止突起７と端面板３の被係止突起８を被係止突起８が係止突起７の外側に位置するように係止させるようにし、端面板３を垂直に立てた状態で端面板３が底板１に重なる方向に回動しないように係止するため下部係止手段を端面板３の下端と底板１との間に設けて成ることを特徴とする。
【０００６】
【作用】
上記構成によれば、側面板２の長手方向の端部に側面板２と直交するように設けた端壁部４から内方に向けて側面板２と平行になるように係合片５を突設すると共に端面板３の側端部の外面から係合片５と平行になるように係合凹所６を設け、側面板２と端面板３を垂直に立てた状態で係合片５と係合凹所６を係脱自在に係合するようにしたことにより、側面板２と端面板３を垂直に立てた組み立て状態では係合片５と係合凹所６との係合にて側面板２や端面板３が外方に開かないようにできる。しかも側面板２と端面板３を垂直に立てた状態で側面板２の端部の係止突起７と端面板３の被係止突起８を被係止突起８が係止突起７の外側に位置するように係止させるようにしたことにより、側面板２と端面板３とを垂直に立てた組み立て状態で被係止突起８が係止突起７に係止して端面板３が内方に倒れるのを阻止できて組み立て状態を確実に維持できる。さらに端面板３を垂直に立てた状態で端面板３が底板１に重なる方向に回動しないように係止するため下部係止手段を端面板３の下端と底板１との間に設けたことにより、端面板３を垂直に立てた状態で端面板３の下端も底板１に係止して端面板３が内方側に倒れるのをさらに阻止できて組み立て状態さらに確実に維持できる。
【０００７】
【実施例】
折り畳みコンテナＡは、本実施例の場合、図３乃至図６に示すように底板１と一対の側面板２と一対の端面板３と蓋体１０にて構成されている。底板１は矩形状に形成してあり、底板１の一対の長辺に沿って側面板２を配置してあり、底板１の一対の短辺に沿って端面板３を配置してある。側面板２及び端面板３の下部は底板１に回動自在に連結してあり、側面板２及び端面板３を起倒自在にしてある。側面板２及び端面板３の下部を底板１に回転自在に連結する場合、側面板２や端面板３の下部に複数の枢支軸１１を水平に設け、この枢支軸１１を底板１の軸受凹部１２に嵌入している。側面板２の下部を底板１に回転自在に連結する高さ位置は、端面板３の下部を底板１に回転自在に連結する高さ位置より高くしてあり、折り畳み状態で底板１に先に端面板３を重ねるように折り畳んでから側面板２を端面板３を介して底板１上に折り畳むようになっている。つまり、底板１の周縁には立ち上がり縁１３を設けてあり、端面板３は枢支軸１１を立ち上がり縁１３の内面側に設けた軸受凹部１２に嵌入して取り付けてあり、側面板３は枢支軸１１を立ち上がり縁１３の上面に設けた軸受凹部１２に嵌入して取り付けてある。端面板３を底板１側から起こして垂直に立てたとき、端面板３の下部の突片１４が立ち上がり縁１３の上端部に当たってそれ以上外方に回動しないようになっている。また側面板２は底板１側から起こして垂直に立てたとき、側面板２の下端面が立ち上がり縁１３の上面に当たってそれ以上外方に回動しないようになっている。側面板２や端面板３の外面には必要に応じて取っ手１５を設けてある。また底板１に対して側面板２や端面板３を垂直に立てた組み立て状態で上面に蓋体１０を被着できるようになっている。
【０００８】
また図１、図２に示すように側面板２の長手方向の端部には側面板２と直交する端壁部４を一体に設けてあり、側面板２と端面板３を垂直に立てた状態で一対の側面板２の端壁部４間に端面板３を位置させることができるようになっている。側面板２の端壁部４の先端から側面板２と平行に係合片５を突設してある。この係合片５は上下方向に連続していなく、上下方向に適当な間隔で複数個突設してある。端面板３の側端部には端面板２の外面から係合片５と平行になるように係合凹所６を凹設してある。そして側面板２と端面板３とを垂直に立てたとき係合片５が係合凹所６に係合するようになっている。側面板２の端壁部４の先端の手前には係合片５と平行になるように突片部１６を突設してある。この突片部１６は端壁部４の上部位置のみに設けてあり、この突片部１６がある上部以外の部分では側面板２から端壁部４と平行になるように突壁１７を突設してある。突片部１６の先端には係止突起７を突設してあり、端面板３の側端には被係止突起８を突設してある。
【０００９】
このように構成された折り畳みコンテナＡは、底板１に端面板３を重ねると共に端面板３を介して底板１に側面板２を重ねることにより図７（ｂ）に示すように折り畳まれる。この折り畳み状態で図９（ａ）に示すように上下に複数個積み重ねることができる。また蓋体１０も図９（ｂ）に示すように積み重ねることができる。また底板１に対して先に側面板２を垂直に立て、次いで端面板３を垂直に立てることにより図７（ａ）のような組み立て状態にできる。側面板２と端面板３を垂直に立てた状態で側面板２の端壁部４間に端面板３が立ち、係合片５が係合凹所６に係合する。この係合にて図２（ｂ）の矢印ａ，ｂの方向に側面板２や端面板３が開くのを防止できる。また係合片５と係合凹所６とを係合したとき被係止突起８が係止突起７を越えて係止突起７に被係止突起８が係止し、端面板３が図２（ａ）（ｂ）の矢印ｃ方向に倒れるのを阻止て確実に組み立て状態を維持できる。このように折り畳みコンテナＡを組み立てた状態で内部に収納物を収納し、上面開口に蓋体１０を被着できる。このように組み立てて蓋体１０を被着した折り畳みコンテナＡは図８に示すように上下に複数個積み重ねることができる。
【００１０】
また本発明では図１０、図１１、図１２に示すように端面板３を垂直に立てたとき、端面板３の下部を底板１に係止する構造を採用している。図１０の実施例の場合、端面板３の下端に係止段部２０を設けてあり、底板１に係止凹部２１を設けてあり、端面板３を図１０（ｂ）の状態から図１０（ａ）のように垂直に立てたとき係止凹部２１に係止段部２０が係止するようになっている。図１１の実施例の場合、端面板３の下端に係止段部２０を設けてあり、底板１に係止突部２２を設けてあり、端面板３を図１１（ｂ）の状態から図１１（ａ）のように垂直に立てたとき係止突部２２に係止段部２０が係止するようになっている。図１２の実施例の場合、端面板３の下端に係当面２３を設けてあり、端面板３を図１２（ｂ）の状態から図１２（ａ）のように垂直に立てたとき係当面２３が底板１の上面に係当して係止するようになっている。このように端面板３を垂直に立てたとき端面板３の下部が係止するようになっていると、端面板３が内方に倒れるのをさらに確実に阻止できる。
【００１１】
【発明の効果】
本発明は叙述のように側面板の長手方向の端部に側面板と直交するように設けた端壁部から内方に向けて側面板と平行になるように係合片を突設すると共に端面板の側端部の外面から係合片と平行になるように係合凹所を設け、側面板と端面板を垂直に立てた状態で係合片と係合凹所を係脱自在に係合するようにしたので、側面板と端面板を垂直に立てた組み立て状態では係合片と係合凹所との係合にて側面板や端面板が外方に開かないようにできるものであり、しかも側面板と端面板を垂直に立てた状態で側面板の端部の係止突起と端面板の被係止突起を被係止突起が係止突起の外側に位置するように係止させるようにしたので、側面板と端面板とを垂直に立てた組み立て状態で被係止突起が係止突起に係止して端面板が内方に倒れるのを阻止できて組み立て状態を確実に維持できるものである。さらに端面板を垂直に立てた状態で端面板が底板に重なる方向に回動しないように係止するため下部係止手段を端面板の下端と底板との間に設けたので、端面板を垂直に立てた状態で端面板の下端も底板に係止して端面板が内方側に倒れるのをさらに阻止できて組み立て状態さらに確実に維持できるものである。
【図面の簡単な説明】
【図１】  本発明折り畳みコンテナの一実施例を示し、（ａ）は要部の分解斜視図、（ｂ）は組み立て状態の斜視図である。
【図２】  （ａ）は図１（ｂ）のＸ−Ｘ線で破断した斜視図、（ｂ）は図１（ｂ）のＹ−Ｙ線で破断した斜視図、（ｃ）は図１（ｂ）のＺ−Ｚ線で破断した斜視図である。
【図３】  同上の折り畳みコンテナの組み立て状態の全体を示し、（ａ）は平面図、（ｂ）は正面図、（ｃ）は側面図である。
【図４】  （ａ）は同上の正面から見た断面図、（ｂ）は側面から見た断面図である。
【図５】  （ａ）は同上の蓋体を外した状態の正面から見た断面図、（ｂ）は側面から見た断面図である。
【図６】  同上の端面板の回転自在に連結した部分を示し、（ａ）は端面板を倒した状態の断面図、（ｂ）は端面板を垂直に立てた状態の断面図である。
【図７】  （ａ）は折り畳みコンテナを組み立てた状態の概略斜視図、（ｂ）は折り畳みコンテナを折り畳んだ状態の概略斜視図である。
【図８】  同上の組み立てた折り畳みコンテナを積み重ねた状態の正面図である。
【図９】  （ａ）は同上の折り畳んだ折り畳みコンテナを積み重ねた状態の正面図、（ｂ）は同上の蓋体を積み重ねた状態の断面図である。
【図１０】  同上の端面板の下端の係止手段を示し、（ａ）は端面板を立てた状態の断面図、（ｂ）は端面板を倒した状態の断面図である。
【図１１】  同上の端面板の下端の係止手段の他例を示し、（ａ）は端面板を立てた状態の断面図、（ｂ）は端面板を倒した状態の断面図である。
【図１２】  同上の端面板の下端の係止手段の他例を示し、（ａ）は端面板を立てた状態の断面図、（ｂ）は端面板を倒した状態の断面図である。
【符号の説明】
Ａ  折り畳みコンテナ
１  底板
２  側面板
３  端面板
４  端壁部
５  係合片
６  係合凹所
７  係止突起
８  被係止突起
【図１】
0003715678.tif 000002
【図２】
0003715678.tif 000003
【図３】
0003715678.tif 000004
【図４】
0003715678.tif 000005
【図５】
0003715678.tif 000006
【図６】
0003715678.tif 000007
【図７】
0003715678.tif 000008
【図８】
0003715678.tif 000009
【図９】
0003715678.tif 000010
【図１０】
0003715678.tif 000011
【図１１】
0003715678.tif 000012
【図１２】
0003715678.tif 000013